(57)【要約】【課題】  リールを照明するための光源の発光強度が大きい場合でも、光源の像がリールに形成されることによるリール帯の視認性の低下を抑えるゲーミングマシンのリール装置を提供する。【解決手段】  透光性を有しかつ透過する光を多方向に屈折させる面が形成された光屈折面を有するとともに、ベース用のシートに重ねられる第１の光拡散用のシートと、前記光屈折面を有するとともに、前記第１の光拡散用のシートに重ねられる第２の光拡散用のシートと、を備える。【選択図】  図１
2014212806.tif 000002
【特許請求の範囲】
【請求項１】
ゲーミングマシンの回転可能なリールに取り付けられるリール帯であって、
透光性を有しかつ透過する光を多方向に屈折させる面が形成された光屈折面を有するとともに、ベース用のシートに重ねられる第１の光拡散用のシートと、
前記光屈折面を有するとともに、前記第１の光拡散用のシートに重ねられる第２の光拡散用のシートと、を備えるリール帯。
【請求項２】
前記光屈折面は、光を屈折させる凹凸を表面に有し、
前記第１の光拡散用のシートの前記光屈折面と、前記第２の光拡散用のシートの前記光屈折面とが互いに向かい合う請求項１に記載のリール帯。
【請求項３】
前記ベース用のシート及び前記第２の光拡散用のシートは、長手方向に沿って形成された両端部を有し、
互いに重ねられる前記ベース用のシートと第２の拡散用のシートとで対向する両端部を接合して中空状となした請求項１または２に記載のリール帯。
【請求項４】
前記第１の光拡散用のシートの両端部は、長手方向に対して垂直な方向に沿った第１の幅を有し、
前記第２の光拡散用のシートの両端部は、長手方向に沿って形成され互いに離隔して向かい合う２つの端を有し、かつ、長手方向に対して垂直な方向に沿った第２の幅であって前記第１の幅よりも大きい第２の幅を有し、
前記第１の光拡散用のシートが前記第２の光拡散用のシートの両端部の間に配置される請求項１又は２に記載のリール帯。
【請求項５】
透光性を有しかつ前記光屈折面とは異なるように透過する光を屈折させる他の光屈折面を有する光屈折用のシートであって、前記ベース用のシートにシンボルが形成されたシンボル形成領域に重ねられる光屈折用のシートをさらに備える請求項１に記載のリール帯。
【請求項６】
前記他の光屈折面は、前記光屈折面とは異なる凹凸を表面に有する請求項５に記載のリール帯。
【請求項７】
回転可能なリールと、前記リールを内部から照明するバックライトと、を有するリールアセンブリを備え、
前記リールは、
透光性を有しかつ前記バックライトから発せられた光を多方向に屈折させる面が形成された光屈折面を有するとともに、ベース用のシートに重ねられる第１の光拡散用のシートと、
前記光屈折面を有するとともに、前記第１の光拡散用のシートに重ねられる第２の光拡散用のシートと、を有するリール帯を有するゲーミングマシン。
【請求項８】
前記ベース用のシート及び前記第２の光拡散用のシートは、長手方向に沿って形成された両端部を有し、
互いに重ねられる前記ベース用のシートと第２の拡散用のシートとで対向する両端部を接合して中空状となし、
前記バックライトは、前記２つの端の間に配置された請求項７に記載のゲーミングマシン。
【発明の詳細な説明】
【技術分野】
【０００１】
ゲーミングマシンの回転可能なリールのリール装置、より具体的には、バックライトによって照明されるリールのリール装置に用いられるリール帯、及び該リール装置を備えたゲーミングマシンに関する。
【背景技術】
【０００２】
従来、ゲーミングマシンは、シンボルを表示するためにビデオリールとメカリールとが採用されている。ビデオリールは、液晶表示装置などの表示装置に、シンボルの画像をスクロール表示することによって実現されている。ビデオリールは、表示装置に表示されるものであり、表示装置の輝度によってシンボルの見易さが決定される。表示装置においては、表示面における輝度など光源の明るさが、およそ一定になるように予め調整されている。
【０００３】
メカリールは、シンボルが印刷されたリールをモータなどによって機械的に回転させることで、シンボルのスクロール表示を実現する。メカリールの場合には、シンボルをプレーヤに視認させやすくするために、リールの内側にバックライトを設ける必要がある。バックライトから発せられた光をリールの背面に照射して、シンボルを明るく照らす（たとえば、特許文献１や特許文献２参照）。
【先行技術文献】
【特許文献】
【０００４】
【特許文献１】特開２００３−６２１５２号公報
【特許文献２】特開２０１３−４２９２２号公報
【発明の概要】
【発明が解決しようとする課題】
【０００５】
上述したメカリールのバックライトの光源として、ＬＥＤ（発光ダイオード）などのランプが採用される。特に、発光強度、省電力、発熱防止などの観点からＬＥＤが有利である。たとえば、図５及び図１５（ａ）に示すように、バックライト装置３００は４つのモジュール３０２を有し、モジュール３０２の各々には、８つの光源装置３０４であるＬＥＤがマトリクス状に配置されている。近年では、ＬＥＤの発光強度が大きくなるとともに、発光範囲の指向性も高くなってきている。このため、光源としてＬＥＤを用いてリールを照明したときには、ＬＥＤの像がリールに形成されやすくなってきている。たとえば、図１５（ｂ）の四角い実線で示すように、光源装置３０４であるＬＥＤの像がリール帯に形成される場合がある。図１５（ｂ）では、バックライト装置３００及び光源装置３０４を想像線で示した。このように、近年のスロットマシンでは、ＬＥＤの像がリールに形成されることによって、リール帯の視認性が低下する可能性が高くなってきた。
【課題を解決するための手段】
【０００６】
本発明は、上述の点に鑑みてなされたものであり、その目的とするところは、リールを照明するための光源の発光強度が大きい場合でも、光源の像がリールに形成されることによるリール帯の視認性の低下を抑えるゲーミングマシンのリール装置を提供することにある。
【０００７】
本実施の形態によるリール帯は、
ゲーミングマシンの回転可能なリールに取り付けられるリール帯であって、
透光性を有しかつ透過する光を多方向に屈折させる面が形成された光屈折面を有するとともに、ベース用のシートに重ねられる第１の光拡散用のシートと、
前記光屈折面を有するとともに、前記第１の光拡散用のシートに重ねられる第２の光拡散用のシートと、を含む。
【０００８】
第１の光拡散用のシートと第２の光拡散用のシートとの双方がベース用のシートに重ねられる。したがって、リール帯に入射する光を、まず、第１の光拡散用のシートにより多方向に拡散させ、この拡散させた光をさらに第２の光拡散用のシートにより、多方向に拡散させることができるため、光源の像を広範囲にぼかすことができ、光源の像がリールに形成されることを防止できる。
【０００９】
本実施の形態によるリール帯は、さらに、
前記光屈折面は、光を屈折させる凹凸を表面に有し、
前記第１の光拡散用のシートの前記光屈折面と、前記第２の光拡散用のシートの前記光屈折面とが互いに向かい合う。
【００１０】
第１の光拡散用のシートの光屈折面と、第２の光拡散用のシートの光屈折面とが互いに向かい合うので、凹凸によって、これらのシート間の距離が各所で異なる間隙を形成することができ、光源の像をよりぼかすことができる。
【００１１】
本実施の形態によるリール帯は、さらに、
前記ベース用のシート及び前記第２の光拡散用のシートは、長手方向に沿って形成された両端部を有し、
互いに重ねられる前記ベース用のシートと第２の拡散用のシートとで対向する両端部を接合して中空状をなす。
【００１２】
第２の光拡散用のシートの両端部は、ベース用のシートの両端部と間接的又は直接的に接合されるようにしているので、第１の拡散用のシートと第２の拡散用シートとの間に、距離が各所で異なる間隙を確保しつつ、第１の光拡散用のシートと第２の拡散用のシートとベース用のシートとを重ねた状態で保持することができ、例えば、リール帯の背面側に発光強度が大きい光源を配置したとしても、光源の像をよりぼかすことができる。
【００１３】
本実施の形態によるリール帯は、さらに、
前記第１の光拡散用のシートの両端部は、長手方向に対して垂直な方向に沿った第１の幅を有し、
前記第２の光拡散用のシートの両端部は、長手方向に沿って形成され互いに離隔して向かい合う２つの端を有し、かつ、長手方向に対して垂直な方向に沿った第２の幅であって前記第１の幅よりも大きい第２の幅を有し、
前記第１の光拡散用のシートが前記第２の光拡散用のシートの両端部の間に配置されている。
【００１４】
第１の光拡散用のシートは第１の幅を有し、第２の光拡散用のシートは第１の幅より大きい第２の幅を有する。これにより、第２の光拡散用のシートの２つの端の間の領域に第１の光拡散用のシートを配置することができる。この配置で、２つの端の間の領域においては、第１の光拡散用のシートが第２の光拡散用のシートに接合されていない状態を形成できる。これにより、第１の光拡散用のシートが第２の光拡散用のシートに密着することを防止でき、第１の光拡散用のシートと第２の光拡散用のシートとの間で、距離が各所で異なる間隙を形成することができ、光源の像をよりぼかすことができる。
【００１５】
本実施の形態によるリール帯は、さらに、
透光性を有しかつ前記光屈折面とは異なるように透過する光を屈折させる他の光屈折面を有する光屈折用のシートであって、前記ベース用のシートにシンボルが形成されたシンボル形成領域に重ねられる光屈折用のシートをさらに含む。
【００１６】
シンボル形成領域には、光屈折用のシートが重ねられるので、シンボル形成領域以外と異なるように、シンボル形成領域を照明でき、シンボルに対してアクセントを加えることができる。
【００１７】
本実施の形態によるリール帯は、さらに、
前記他の光屈折面は、前記光屈折面とは異なる凹凸を表面に有する。
【００１８】
他の光屈折面は、光屈折面とは異なる凹凸を表面に有するので、シンボル形成領域を他とは異なるように照明できる。
【００１９】
また、本実施の形態によるゲーミングマシンは、
回転可能なリールと、前記リールを内部から照明するバックライトと、を有するリールアセンブリを備え、
前記リールは、
透光性を有しかつ前記バックライトから発せられた光を多方向に屈折させる面が形成された光屈折面を有するとともに、ベース用のシートに重ねられる第１の光拡散用のシートと、
前記光屈折面を有するとともに、前記第１の光拡散用のシートに重ねられる第２の光拡散用のシートと、を有するリール帯を有する。
【００２０】
バックライトから発せられた光を第１の光拡散用のシートによって多方向に拡散させた後、拡散させた光を第２の光拡散用のシートによってさらに多方向に拡散させることができる。これにより、バックライトの像を広範囲にぼかすことができ、バックライトの像がリールに形成されることを防止できる。
【００２１】
また、本実施の形態によるゲーミングマシンは、さらに、
前記ベース用のシート及び前記第２の光拡散用のシートは、長手方向に沿って形成された両端部を有し、
互いに重ねられる前記ベース用のシートと第２の拡散用のシートとで対向する両端部を接合して中空状をなし、
前記バックライトは、前記２つの端の間に配置されている。
【００２２】
第２の光拡散用のシートの両端部は、ベース用のシートの両端部と間接的又は直接的に接合されるようにしているので、第１の拡散用のシートと第２の拡散用シートとの間に、距離が各所で異なる間隙を確保しつつ、第１の光拡散用のシートと第２の拡散用のシートとベース用のシートとを重ねた状態で保持することができ、例えば、リール帯の背面側に発光強度が大きい光源を配置したとしても、光源の像をよりぼかすことができる。
【００２３】
また、バックライトは第２の光拡散用のシートの２つの端の間に配置されているので、２つの端で第１の光拡散用のシートが第２の光拡散用のシートに密着しても、バックライトの像が２つの端に形成されることはなく、リール帯の視認性を低下させることがない。
【発明の効果】
【００２４】
リールを照明するための光源の像がリールに形成されることによるリール帯の視認性の低下を抑えることができる。
【図面の簡単な説明】
【００２５】
【図１】本実施の形態によるリール帯の概略を示す図である。
【図２】本発明の実施の形態に係るゲーミングマシン１０の全体構成を示す斜視図である。
【図３】リールユニット２０２を示す斜視図である。
【図４】リール２２０を示す斜視図である。
【図５】バックライト装置３００を示す斜視図である。
【図６】リール帯２２２Ｘの表面を示す正面図（ａ）と、縦断面図（ｂ）、（ｃ−１）、（ｃ−２）と、背面図（ｄ）とである。
【図７】いずれのシンボルも形成されていないシンボル非形成領域２５４を示す図である。
【図８】シンボル５０１ｃが形成された領域を示す図である。
【図９】シンボル５０１ａが形成されたシンボル形成領域２５２を示す図である。
【図１０】シンボル５０１ｂが形成されたシンボル形成領域２５２を示す図である。
【図１１】光拡散用のシート２６０ａの第１の表面２６２と、光拡散用のシート２６０ｂの第１の表面２６２とが互いに向かい合う状態を示す断面図（ａ）と、凹凸によって形成される間隙２６６を示す断面図（ｂ）と、間隙２６６において光が屈折及び反射する過程を示す図（ｃ）とである。
【図１２】シンボル５０１ａが形成されたシンボル形成領域２５２の第１の表面２７２を示す正面図（ａ）と、シンボル５０１ｂが形成されたシンボル形成領域２５２の第１の表面２７２を示す正面図（ｂ）である。
【図１３】リール帯２２２Ｙの構成を示す正面図（ａ）と、縦断面図（ｂ）、（ｃ−１）、（ｃ−２）と、背面図（ｄ）とである。
【図１４】リール帯２２２Ｚの構成を示す正面図（ａ）と、縦断面図（ｂ）、（ｃ−１）、（ｃ−２）と、背面図（ｄ）とである。
【図１５】バックライト装置３００を示す正面図（ａ）と、光源の像がリール帯に形成される従来の状態を示す図（ｂ）と、リール帯２２２においてバックライト装置３００の像が広範囲にぼかされた状態を示す図（ｃ）とである。
【発明を実施するための形態】
【００２６】
以下に、実施の形態について図面に基づいて説明する。
【００２７】
＜＜＜ゲーミングマシン１０の概要＞＞＞
図１は、本実施の形態によるゲーミングマシン１０のリール帯の概要を示す図である。
【００２８】
本実施の形態によるリール帯（たとえば、後述する３種類のリール帯２２２Ｘ、２２２Ｙ及び２２２Ｘなど）は、
ゲーミングマシン（たとえば、後述するゲーミングマシン１０など）の回転可能なリール（たとえば、後述するリール２２０ａ、２２０ｂ、２２０ｃ、２２０ｄ及び２２０ｅなど）に取り付けられるリール帯であって、
透光性を有しかつ透過する光を多方向に屈折させる面が形成された光屈折面（たとえば、後述する第１の表面２６２）（一の光屈折面または第１の光屈折面）を有するとともに、ベース用のシート（たとえば、後述するシンボル表示用のシート２５０）に重ねられる第１の光拡散用のシート（たとえば、後述する光拡散用のシート２６０ａ）と、
前記光屈折面（一の光屈折面または第１の光屈折面）を有するとともに、前記第１の光拡散用のシートに重ねられる第２の光拡散用のシート（たとえば、後述する光拡散用のシート２６０ｂ）と、を含む。
【００２９】
光源から発せられた光は、まず、第１の光拡散用のシートに入射して多方向に屈折する。次いで、第１の光拡散用のシートによって多方向に屈折した光は、第２の光拡散用のシートに入射して多方向に屈折する。さらに、第２の光拡散用のシートによって多方向に屈折した光は、ベース用のシートに入射する。このように、光源から発せられた光は、ベース用のシートに入射するまでの間に、第１の光拡散用のシートと第２の光拡散用のシートとの双方によって多方向に屈折する。なお、ベース用のシートは、リール帯の基部や基材となるシートであり、第１の光拡散用のシートや第２の光拡散用のシートを重ねて設けるためのシートである。
【００３０】
したがって、ベース用のシートに入射する光を、第１の光拡散用のシートと第２の光拡散用のシートとの双方によって、ベース用のシートに入射する光を多方向に屈折させることができ、光源の像を広範囲にぼかすことができ、光源の像がリールに形成されることを防止できる。
【００３１】
本実施の形態によるリール帯は、さらに、
前記光屈折面は、光を屈折させる凹凸を表面に有し、
前記第１の光拡散用のシートの前記光屈折面と、前記第２の光拡散用のシートの前記光屈折面とが互いに向かい合う。
【００３２】
第１の光拡散用のシートの光屈折面と、第２の光拡散用のシートの光屈折面とは、互いに向かい合う。このため、第１の光拡散用のシートの光屈折面の凹凸と、第２の光拡散用のシートの光屈折面の凹凸とが接触した場合に、凹凸によって、第１の光拡散用のシートと第２の光拡散用のシートとの間で距離が各所で異なる間隙が形成される。この間隙の形成によって、第１の光拡散用のシートと第２の光拡散用のシートとを離隔することができる。この間隙において、光の屈折と反射とを繰り返し生じさせることができ、光源から発せられた光をより拡散させることができる。このように、凹凸によって距離の異なる間隙を形成することができ、光源の像をより広範囲にぼかすことができる。
【００３３】
本実施の形態によるリール帯は、さらに、
前記ベース用のシート及び前記第２の光拡散用のシートが、長手方向に沿って形成された両端部（たとえば、後述する端２５８ａ及び２５８ｂ並びに端２６９ａ及び２６９ｂ）を有し、
互いに重ねられる前記ベース用のシートと第２の拡散用のシートとで対向する両端部（たとえば、後述する対向する端２５８ａ及び端２６９ａと、端２５８ｂ及び端２６９ｂなど）を接合して中空状をなす。
【００３４】
第２の光拡散用のシートの両端部は、ベース用のシートの両端部と間接的又は直接的に接合されるようにしている。すなわち、第２の光拡散用のシートをベース用のシートに直接接合しても、第２の光拡散用のシートを第１の光拡散用のシートに接合し、これらをベース用のシートに接合してもよい。このようにすることで、第２の光拡散用のシートは、第１の光拡散用のシートを介して間接的にベース用のシートに接合される。
【００３５】
このようにしたことで、第１の拡散用のシートと第２の拡散用シートとの間に、距離が各所で異なる間隙の形成を確保しつつ、第１の光拡散用のシートと第２の拡散用のシートとベース用のシートとを重ねた状態で保持することができ、例えば、リール帯の背面側に発光強度が大きい光源を配置したとしても、光源の像をより広範囲にぼかすことができる。
【００３６】
本実施の形態によるリール帯は、さらに、
前記第１の光拡散用のシートの両端部（たとえば、後述する端２６８ａ及び２６８ｂなど）は、長手方向に対して垂直な方向に沿った第１の幅（たとえば、後述するＷ１など）を有し、
前記第２の光拡散用のシートの両端部（たとえば、後述する端２６９ａ及び２６９ｂなど）は、長手方向に沿って形成され互いに離隔して向かい合う２つの端（たとえば、後述する端２６９ａ及び２６９ｂなど）を有し、かつ、長手方向に対して垂直な方向に沿った第２の幅であって前記第１の幅よりも大きい第２の幅（たとえば、後述するＷ２など）を有し、
前記第１の光拡散用のシートが前記第２の光拡散用のシートの両端部の間（たとえば、後述する端２６９ａと端２６９ｂとの間など）に配置されている。
【００３７】
第１の光拡散用のシートは第１の幅を有し、第２の光拡散用のシートは第１の幅より大きい第２の幅を有する。これにより、第２の光拡散用のシートの２つの端の間の領域に第１の光拡散用のシートを配置することができる。この配置で、２つの端の間の領域においては、第１の光拡散用のシートが第２の光拡散用のシートに接合されていない状態を形成できる。これにより、第１の光拡散用のシートが第２の光拡散用のシートに密着することを防止でき、第１の光拡散用のシートと第２の光拡散用のシートとの間で、距離が各所で異なる間隙を形成することができ、光源の像をよりぼかすことができる。
【００３８】
本実施の形態によるリール帯は、さらに、
透光性を有しかつ前記光屈折面とは異なるように透過する光を屈折させる他の光屈折面（たとえば、後述する第１の表面２７２）を有する光屈折用のシートであって、前記ベース用のシートにシンボルが形成されたシンボル形成領域に重ねられる光屈折用のシート（たとえば、後述する光屈折用のシート２７０）をさらに含む。
【００３９】
シンボル形成領域には、光屈折用のシートが重ねられるので、シンボル形成領域以外と異なるように、シンボル形成領域を照明でき、シンボルに対してアクセントを加えることができる。
【００４０】
本実施の形態によるリール帯は、さらに、
前記他の光屈折面（第２の光屈折面）は、前記光屈折面（一の光屈折面または第１の光屈折面）とは異なる凹凸を表面に有する。
【００４１】
他の光屈折面は、光屈折面とは異なる凹凸を表面に有するので、シンボル形成領域を他とは異なるように照明できる。
【００４２】
また、本実施の形態によるゲーミングマシン（たとえば、後述するゲーミングマシン１０など）は、
回転可能な複数のリール（たとえば、後述するリール２２０ａ、２２０ｂ、２２０ｃ、２２０ｄ及び２２０ｅなど）と、前記複数のリールの各々を内部から照明するバックライト（たとえば、後述するバックライト装置３００など）と、を有するリールアセンブリ（たとえば、後述するリールユニット２０２など）を備え、
前記複数のリールの各々は、リール帯（たとえば、後述する３種類のリール帯２２２Ｘ、２２２Ｙ及び２２２Ｘなどを有し、
前記リール帯は、
透光性を有しかつ前記バックライトから発せられた光を多方向に屈折させる面が形成された光屈折面（たとえば、後述する第１の表面２６２）（一の光屈折面または第１の光屈折面）を有するとともに、ベース用のシート（たとえば、後述するシンボル表示用のシート２５０）に重ねられる第１の光拡散用のシート（たとえば、後述する光拡散用のシート２６０ａ）と、
前記光屈折面（一の光屈折面または第１の光屈折面）を有するとともに、前記第１の光拡散用のシートに重ねられる第２の光拡散用のシート（たとえば、後述する光拡散用のシート２６０ｂ）と、を有する。
【００４３】
バックライトから発せられた光を第１の光拡散用のシートによって多方向に拡散させた後、拡散させた光を第２の光拡散用のシートによってさらに多方向に拡散させることができる。これにより、バックライトの像を広範囲にぼかすことができ、バックライトの像がリールに形成されることを防止できる。
【００４４】
また、本実施の形態によるゲーミングマシンは、さらに、
前記ベース用のシート及び前記第２の光拡散用のシートは、長手方向に沿って形成された両端部（たとえば、後述する端２５８ａ及び２５８ｂ並びに端２６９ａ及び２６９ｂ）を有し、
互いに重ねられる前記ベース用のシートと第２の拡散用のシートとで対向する両端部（たとえば、後述する対向する端２５８ａ及び端２６９ａと、端２５８ｂ及び端２６９ｂなど）を接合して中空状となし、
前記バックライトは、前記２つの端の間（たとえば、後述する端２５８ａと２５８ｂとの間、または端２６９ａと２６９ｂとの間）に配置されている。
【００４５】
第２の光拡散用のシートの両端部は、ベース用のシートの両端部と間接的又は直接的に接合されるようにしている。すなわち、第２の光拡散用のシートをベース用のシートに直接接合しても、第２の光拡散用のシートを第１の光拡散用のシートに接合し、これらをベース用のシートに接合してもよい。このようにすることで、第２の光拡散用のシートは、第１の光拡散用のシートを介して間接的にベース用のシートに接合される。
【００４６】
このようにしたことで、第１の拡散用のシートと第２の拡散用シートとの間に、距離が各所で異なる間隙の形成を確保しつつ、第１の光拡散用のシートと第２の拡散用のシートとベース用のシートとを重ねた状態で保持することができ、例えば、リール帯の背面側に発光強度が大きい光源を配置したとしても、光源の像をよりぼかすことができる。
【００４７】
また、バックライトは第２の光拡散用のシートの２つの端の間に配置されているので、２つの端で第１の光拡散用のシートが第２の光拡散用のシートに密着しても、バックライトの像が２つの端に形成されることはなく、リール帯の視認性を低下させることがない。
【００４８】
＜＜＜ゲーミングマシン１０の全体構造＞＞＞
図２は、本発明の実施の形態に係るゲーミングマシン１０の全体構成を示す斜視図である。
【００４９】
ゲーミングマシン１０では、遊技媒体として、コイン、紙幣又はこれらに相当する電子的な有価情報が用いられる。
【００５０】
ゲーミングマシン１０は、キャビネット１１と、キャビネット１１の上側に設置されたトップボックス１２と、キャビネット１１の前面に設けられたメインドア１３と、を備えている。
【００５１】
メインドア１３には、リール装置２００が設けられている。リール装置２００の前面には、リールカバー１３４が設けられている。
【００５２】
リールカバー１３４は、図２に示すように、中央部に表示窓１５０を有する。表示窓１５０は、５列×３行の１５個のシンボル５０１をゲーミングマシン１０の外部から視認可能にする。各列の３個のシンボル５０１は、リール２２０ａ〜２２０ｅの外周面に配列されたシンボル群の一部である。５つのリール２２０ａ〜２２０ｅが回転制御されることにより、リール２２０ａ〜２２０ｅの各々に配置されたシンボル５０１を、全体的に速度を変更しながら下方向や上方向に移動表示することができる。さらに、５つのリール２２０ａ〜２２０ｅが停止制御されることにより、これらのシンボル５０１を停止して、５列×３行の１５個のシンボル５０１を表示窓１５０に再配置することができる。
【００５３】
なお、本実施の形態では、ゲーミングマシン１０がメカニカルリール方式のリール装置２００を備えた場合について説明しているが、本発明のゲーミングマシン１０は、擬似リールを表示するビデオリール方式とメカニカル方式とが混在されたものであってもよい。また、リールカバー１３４に、タッチパネルが設けられていてもよい。この場合には、遊技者はタッチパネルを操作して各種の指示を入力することができる。タッチパネルから入力信号がメインＣＰＵ（図示せず）に対して送信される。さらに、リールカバー１３４は、透明液晶パネルや透明パネルを有してもよい。
【００５４】
リール装置２００の下方には、コントロールパネル３０が配置されている。コントロールパネル３０は、各種ボタンをはじめ、コインをキャビネット１１内に受け入れるコインエントリー２１と、ビルエントリー２２とを備えている。
【００５５】
コントロールパネル３０は、「ＲＥＳＥＲＶＥ」ボタン、「ＣＯＬＬＥＣＴ」ボタン、「ＧＡＭＥ  ＲＵＬＥＳ」ボタン、「１−ＢＥＴ」ボタン、「２−ＢＥＴ」ボタン、「３−ＢＥＴ」ボタン、「５−ＢＥＴ」ボタン、及び「１０−ＢＥＴ」ボタンを備えている。「ＲＥＳＥＲＶＥ」ボタン、及び「ＣＯＬＬＥＣＴ」ボタン、「ＧＡＭＥ  ＲＵＬＥＳ」ボタンは、コントロールパネル３０の左上の領域に設けられている。「１−ＢＥＴ」ボタン、「２−ＢＥＴ」ボタン、「３−ＢＥＴ」ボタン、「５−ＢＥＴ」ボタン、及び「１０−ＢＥＴ」ボタンは、コントロールパネル３０の左下の領域に設けられている。また、「ＳＴＡＲＴ」ボタンが、コントロールパネル３０の下部中央に設けられている。
【００５６】
「ＲＥＳＥＲＶＥ」ボタンは、遊技者が一時的に離席するときや、遊技者が両替するためにゲーム施設のスタッフに質問したいときに用いられる。また、「ＲＥＳＥＲＶＥ」ボタンは、ＩＣカードリーダに挿入されたＩＣカードに残っているクレジットを格納するために使用できる。「ＣＯＬＬＥＣＴ」ボタンは、クレジットされたコインをコイントレイに払い出すために、ゲーミングマシン１０への指示に使用される。遊技者がゲームのルールや操作方法に精通していないときに「ＧＡＭＥ  ＲＵＬＥＳ」が使用される。「ＧＡＭＥ  ＲＵＬＥＳ」ボタンが押されると、各種のヘルプ情報が上側画像表示パネル１３１に表示される。
【００５７】
「ＢＥＴ」ボタンは、ベット量を設定するために使用される。「１−ＢＥＴ」ボタンが押されるたびに、遊技者が所有する現在のクレジットから、アクティブなペイラインの各々に対して１つのクレジットがベットされる。「２−ＢＥＴ」ボタンが押されると、アクティブなペイラインの各々に対して２つのクレジットがベットされるという条件で単位ゲームが開始される。「３−ＢＥＴ」ボタンが押されると、アクティブなペイラインの各々に対して３つのクレジットがベットされるという条件で単位ゲームが開始される。「５−ＢＥＴ」ボタンが押されると、アクティブなペイラインの各々に対して５つのクレジットがベットされるという条件で単位ゲームが開始される。「１０−ＢＥＴ」ボタンが押されると、アクティブなペイラインの各々に対して１０つのクレジットがベットされるという条件で単位ゲームが開始される。スピンボタン（スタートスイッチ）は、それよりも以前に設定されたベット条件でリール２２０ａ〜２２０ｅの回転の開始を指令するために使用される。
【００５８】
図２に示すように、メインドア１３の下部前面、すなわち、コントロールパネル３０の下方には、コインを受け入れるためのコイン受入口１８と、ゲーミングマシン１０のキャラクタなどが描かれたベリーガラス１３２と、が設けられている。
【００５９】
トップボックス１２の前面には、上側画像表示パネル１３１が設けられている。上側画像表示パネル１３１は、液晶パネルからなり、ディスプレイを構成する。上側画像表示パネル１３１は、演出にかかる画像や、遊技の内容の紹介やルールの説明を示す画像が表示される。また、トップボックス１２には、ランプ１１１及びスピーカ１１２が設けられている。ゲーミングマシン１０では、画像の表示、音の出力及び光の出力によって演出が実行される。
【００６０】
上側画像表示パネル１３１の下方には、データ表示器１７４と、キーパッド１７３と、が設けられている。データ表示器１７４は、蛍光ディスプレイやＬＥＤなどからなり、例えば、ＰＴＳ端末１８０から挿入されたＩＣカードから読み取った会員データや、遊技者によってキーパッド１７３を介して入力されたデータを表示するものである。キーパッド１７３は、データを入力するためのものである。
【００６１】
＜＜リール装置２００＞＞
図３は、リールユニット２０２を示す斜視図である。
【００６２】
ゲーミングマシン１０に備えられたリール装置２００（図２参照）は、５つのリール２２０ａ〜２２０ｅの回転軸が同一直線上となるように、５つのリール２２０ａ〜２２０ｅを水平方向に支持する。リール装置２００には、５つのリールユニット２０２ａ〜２０２ｅが着脱可能に保持される。５つのリール２２０ａ〜２２０ｅの各々の外周面に、シンボル５０１が配置されている。なお、本実施の形態では、シンボル５０１として、６つのシンボル５０１ａ、５０１ｂ、５０１ｃ、５０１ｄ、５０１ｅ及び５０１ｆがある。
【００６３】
リールユニット２０２ａは、リール２２０ａと、リール２２０ａを支持するリール支持機構２０４ａとを有する。リールユニット２０２ａは、リール２２０ａを回転駆動する。リール２２０ａは、１以上のシンボル５０１が配置された環状のリール帯２２２ａを有する。
【００６４】
リールユニット２０２ｂは、リール２２０ｂと、リール２２０ｂを支持するリール支持機構２０４ｂとを有する。リールユニット２０２ｂは、リール２２０ｂを回転駆動する。リール２２０ｂは、１以上のシンボル５０１が配置された環状のリール帯２２２ｂを有する。
【００６５】
リールユニット２０２ｃは、リール２２０ｃと、リール２２０ｃを支持するリール支持機構２０４ｃとを有する。リールユニット２０２ｃは、リール２２０ｃを回転駆動する。リール２２０ｃは、１以上のシンボル５０１が配置された環状のリール帯２２２ｃを有する。
【００６６】
リールユニット２０２ｄは、リール２２０ｄと、リール２２０ｄを支持するリール支持機構２０４ｄとを有する。リールユニット２０２ｄは、リール２２０ｄを回転駆動する。リール２２０ｄは、１以上のシンボル５０１が配置された環状のリール帯２２２ｄを有する。
【００６７】
リールユニット２０２ｅは、リール２２０ｅと、リール２２０ｅを支持するリール支持機構２０４ｅとを有する。リールユニット２０２ｅは、リール２２０ｅを回転駆動する。リール２２０ｅは、１以上のシンボル５０１が配置された環状のリール帯２２２ｅを有する。
【００６８】
５つのリールユニット２０２ａ〜２０２ｅの各々によって、リール２２０ａ〜２２０ｅが回転駆動されシンボル５０１が再配置される。すなわち、５列×３行の１５個のシンボル５０１を表示窓１５０に配置することによって、シンボル５０１が表示窓１５０に再配置される。これにより、表示窓１５０に再配置されたシンボル５０１をプレーヤに視認可能にすることができる。
【００６９】
以下の説明においては、５つのリールユニット２０２ａ〜２０２ｅを区別する必要がない場合には、単に、リールユニット２０２と称する。同様に、５つのリール２２０ａ〜２２０ｅを区別する必要がない場合には、単に、リール２２０と称する。また、５つのリール帯２２２ａ〜２２２ｅを区別する必要がない場合には、単に、リール帯２２２と称する。
【００７０】
さらに、リールユニット２０２は、リール２２０を回転駆動することによりシンボル５０１を再配置するリール駆動機構２０６と、リール２２０の回転により所定角度単位で位置パルス信号を出力すると共に、リール２２０の１回転毎に原点パルス信号を出力するリール角度検出機構２０８と、を有する。
【００７１】
＜＜リール２２０＞＞
図４は、リール２２０を示す斜視図である。
【００７２】
リール２２０は、リール帯２２２と、リール枠体２２４とを有する。リール帯２２２は、環状の形状を有する。リール帯２２２には、１以上のシンボル５０１が周方向に沿って配列されている。リール枠体２２４には、外周面にリール帯２２２が設けられる。
【００７３】
リール枠体２２４は、リール帯２２２の一の端辺を保持する駆動側リール枠体２２６と、リール帯２２２の他の端辺を保持する従動側リール枠体２２８と、駆動側リール枠体２２６及び従動側リール枠体２２８の外周部同士を連結する枠体連結部材２３０とを有している。これらの部材で形成されたリール枠体２２４は、光を透過する材料により形成されている。
【００７４】
リール２２０は、リール枠体２２４が駆動側リール枠体２２６と従動側リール枠体２２８とに二分割された状態から枠体連結部材２３０を介して連結することによりリール枠体２２４を組み立てることが可能であるため、枠体連結部材２３０の長さを変更するだけで、リール枠体２２４の幅、即ち、リール枠体２２４とリール帯２２２とを備えたリール２２０の幅を容易に変更することが可能になっている。
【００７５】
一方、従動側リール枠体２２８は、リール帯２２２の端辺が嵌合されるリール帯嵌合部を有している。従動側リール枠体２２８のリール帯嵌合部は、従動側リール枠体２２８の全周に沿って形成されている。同様に、駆動側リール枠体２２６は、リール帯２２２の端辺が嵌合されるリール帯嵌合部を有する。駆動側リール枠体２２６のリール帯嵌合部は、従動側リール枠体２２８の全周に沿って形成されている。
【００７６】
リール帯２２２の一の端辺（左側の端辺）を、駆動側リール枠体２２６のリール帯嵌合部に、駆動側リール枠体２２６の全周に沿って挟むことができる。リール帯２２２の他の端辺（右側の端辺）を、従動側リール枠体２２８のリール帯嵌合部に、従動側リール枠体２２８の全周に沿って挟むことができる。駆動側リール枠体２２６と従動側リール枠体２２８とを枠体連結部材２３０を介して連結することに、リール帯２２２の一の端辺と他の端辺とを挟んでリール２２０を組み立てることができる。このようにすることで、リール帯２２２を簡単にリール枠体２２４に組み付けることが可能になっている。リール枠体２２４がリール帯２２２の全周を保持することによって、リール帯２２２をリール枠体２２４で保持したときの保型性を高めることが可能になっている。
【００７７】
また、枠体連結部材２３０は、リール帯２２２の裏面を支持可能に配置されている。これにより、リール枠体２２４で保持したときの保型性を一層高めることが可能になっている。また、リール帯２２２は、照明光を透過可能なアクリル樹脂等の材料により形成されている。
【００７８】
本実施の形態によるリール帯２２２の構成については、後でさらに説明する。
【００７９】
＜＜バックライト装置３００＞＞
リール２２０ａ〜２２０ｅの各々の内周側には、バックライト装置３００が配設されている。バックライト装置３００は、リール２２０ａ〜２２０ｅの内側からリール帯２２２に向かって照射光を出射する。照射光は、リール帯２２２のシンボルをリール帯２２２の裏面から照明する。シンボル５０１は、ゲーミングマシン１０の外部からプレーヤによって視認される。
【００８０】
バックライト装置３００は、５つのリール２２０ａ〜２２０ｅのそれぞれに対応させて設けられている。図５に示すように、バックライト装置３００は、４つのモジュール３０２をユニット化したものである。モジュール３０２には、８つの光源装置３０４がマトリクス状に配置されている。
【００８１】
光源装置３０４の各々は、例えば、赤色光を出射可能な赤色ＬＥＤ素子、青色光を出射可能な青色ＬＥＤ素子、及び緑色光を出射可能な緑色ＬＥＤ素子をパッケージ化したフルカラーＬＥＤである。各光源装置３０４は、メインＣＰＵ（図示せず）によって、赤色ＬＥＤ素子、青色ＬＥＤ素子、及び緑色ＬＥＤ素子の点灯及び消灯、あるいは点灯時における発光量がＬＥＤ素子毎に個別に制御される。光源装置３０４は、各ＬＥＤ素子の光量を調節することによって、任意の色の可視光を所望する強度で発することができる。
【００８２】
＜＜リール帯２２２＞＞
本実施の形態では、リール帯２２２として、３種類のリール帯２２２Ｘ、２２２Ｙ及び２２２Ｘを有する。上述した５つのリール帯２２２ａ〜２２２ｅは、リール装置２００のリール２２０ａ〜２２０ｅの各々に取り付けられたリール帯を示す。一方、リール帯２２２Ｘ、２２２Ｙ及び２２２Ｚは、配置されたシンボルが異なるリール帯の種類を示す。リール帯２２２Ｘ、２２２Ｙ及び２２２Ｚの各々は、５つのリール帯２２２ａ〜２２２ｅのいずれかに対応する。
【００８３】
図６は、リール帯２２２Ｘの表面を示す正面図（ａ）と、縦断面図（ｂ）、（ｃ−１）、（ｃ−２）と、背面図（ｄ）とである。具体的には、図６（ａ）は、リール帯２２２Ｘの表面を示す正面図である。図６（ｂ）は、Ｂ−Ｂ断面に沿った縦断面図である。図６（ｃ−１）は、Ｃ１−Ｃ１断面に沿った縦断面図である。図６（ｃ−２）は、Ｃ２−Ｃ２断面に沿った縦断面図である。図６（ｄ）は、裏面を示す背面図である。
【００８４】
図１３は、リール帯２２２Ｙの構成を示す正面図（ａ）と、縦断面図（ｂ）、（ｃ−１）、（ｃ−２）と、背面図（ｄ）とである。具体的には、図１３（ａ）は、リール帯２２２Ｙの表面を示す正面図である。図１３（ｂ）は、Ｂ−Ｂ断面に沿った縦断面図である。図１３（ｃ−１）は、Ｃ１−Ｃ１断面に沿った縦断面図である。図６（ｃ−２）は、Ｃ２−Ｃ２断面に沿った縦断面図である。図１３（ｄ）は、裏面を示す背面図である。
【００８５】
図１４は、リール帯２２２Ｚの構成を示す正面図（ａ）と、縦断面図（ｂ）、（ｃ−１）、（ｃ−２）と、背面図（ｄ）とである。具体的には、図１４（ａ）は、リール帯２２２Ｚの表面を示す正面図である。図１４（ｂ）は、Ｂ−Ｂ断面に沿った縦断面図である。図１４（ｃ−１）は、Ｃ１−Ｃ１断面に沿った縦断面図である。図６（ｃ−２）は、Ｃ２−Ｃ２断面に沿った縦断面図である。図１４（ｄ）は、裏面を示す背面図である。
【００８６】
３種類のリール帯２２２Ｘ、２２２Ｙ及び２２２Ｚは、後述するように、シンボル５０１の配置が異なるが、シートの基本的な構成は同じである。以下では、３種類のリール帯２２２Ｘ、２２２Ｙ及び２２２Ｚを、特に区別する必要がない場合には、単にリール帯２２２と称する。
【００８７】
＜＜シンボル５０１＞＞
３種類のリール帯２２２Ｘ、２２２Ｙ及び２２２Ｚの各々には、複数種類のシンボルが印刷されている。
【００８８】
図６（ａ）に示すように、リール帯２２２Ｘには、５つのシンボル５０１ａ、５０１ｂ、５０１ｃ、５０１ｄ及び５０１ｅが印刷されている。シンボル５０１ａは、外形が長方形で若い男性の人物が印刷されたシンボルである。シンボル５０１ｂは、外形が数字の７の形状で若い女性の人物が印刷されたシンボルである。シンボル５０１ｃは、１つの文字「ＢＡＲ」を示すシンボルである。シンボル５０１ｄは、２つの文字「ＢＡＲ」を示すシンボルである。シンボル５０１ｅは、３つの文字「ＢＡＲ」を示すシンボルである。
【００８９】
図１３（ａ）に示すように、リール帯２２２Ｙには、５つのシンボル５０１ａ、５０１ｂ、５０１ｃ、５０１ｄ及び５０１ｅが印刷されている。図１４（ａ）に示すように、リール帯２２２Ｚには、６つのシンボル５０１ａ、５０１ｂ、５０１ｃ、５０１ｄ、５０１ｅ及び５０１ｆが印刷されている。シンボル５０１ｆは、鳥が羽を広げた絵柄及び文字「ＣＨＡＮＣＥ」を示すシンボルである。
【００９０】
以下では、シンボル５０１ａ〜５０１ｆを区別する必要がない場合には、単にシンボル５０１と称する。なお、本実施の形態では、シンボル５０１には、後述するように、ブランクシンボルが含まれる。
【００９１】
＜＜リール帯２２２の構成＞＞
リール帯２２２は、表面用のシート２５０と、光拡散用のシート２６０ａと、光拡散用のシート２６０ｂと、光屈折用のシート２７０と、保護用のシート２８０とを有する。
【００９２】
＜表面用のシート２５０＞
表面のシート２５０は、透明で可撓性を有し長尺な帯状の形状を有するシートである。たとえば、表面のシート２５０は、ＰＥＴ（ポリエチレンテレフタラート）フィルムからなるのが好ましい。
【００９３】
後述するように、表面のシート２５０の裏面には、シンボル５０１や模様などが印刷されている。シンボル５０１が印刷されている領域によって、シンボル形成領域２５２が形成される。たとえば、ＵＶインクジェット方式などによって、シンボル５０１や模様などを表面のシート２５０の裏面に印刷することができる。
【００９４】
図６（ａ）、図１３（ａ）及び図１４（ａ）に示すシンボル５０１ａ及び５０１ｂが形成された領域がシンボル形成領域２５２である。
【００９５】
また、シンボル５０１や模様などが印刷されていない箇所は、透明の状態が維持されている。図６（ａ）、図１３（ａ）及び図１４（ａ）に示すように、シンボル５０１が印刷されていない領域によって、シンボル非形成領域２５４が形成される。
【００９６】
また、図７（ｂ）に示すように、表面のシート２５０は、２つの第１の端２５８ａ及び第２の端２５８ｂを有する。２つの端２５８ａ及び２５８ｂは、表面のシート２５０の長手方向に沿って形成されている。２つの端２５８ａ及び２５８ｂは、互いに離隔して向かい合うように形成されている。さらに、表面のシート２５０は、長手方向に対して垂直な方向に沿った幅Ｗ２を有する。すなわち、幅Ｗ２は、表面のシート２５０の長手方向に対して垂直な方向に沿って、第１の端２５８ａから端２５８ｂに至るまでの長さである。
【００９７】
なお、本実施の形態では、表面のシート２５０の２つの第１の端２５８ａ及び第２の端２５８ｂには、後述する両面テープ２９０ｃによって光拡散用のシート２６０ｂに貼るための両面テープ２９０ｃの幅に応じた領域を含む。
【００９８】
＜光拡散用のシート２６０ａ及び光拡散用のシート２６０ｂ＞
光拡散用のシート２６０ａ及び光拡散用のシート２６０ｂは、同様の構成を有する。以下では、特に区別する必要がない場合には、単に光拡散用のシート２６０称する。光拡散用のシート２６０は、透光性及び可撓性を有し長尺な帯状の形状を有するシートである。光拡散用のシート２６０は、たとえば、乳白色を有する。不透明な白色であるが、透光性を有する。光拡散用のシート２６０は、第１の表面２６２と第２の表面２６４との２つの表面を有する。
【００９９】
光拡散用のシート２６０は、軟質ＰＶＣ（ポリ塩化ビニル）フィルムからなるのが好ましい。光拡散用のシート２６０として、たとえば、効果シート（スリーライク製：ＳＰＡＲＫＬＥ軟質ＰＶＣ）などを用いることができる。
【０１００】
第１の表面２６２には、所定の形状の微小な凹凸が複数形成されている。凹凸は、複数の凹部と複数の凸部とからなる。複数の凹部及び複数の凸部は、ランダムに形成されている。複数の凹部及び複数の凸部をランダムに形成することにより、光拡散用のシート２６０の第１の表面２６２に入射した光を、あらゆる方向に屈折させて散乱させることができる。すなわち、ランダムに形成された複数の凹部及び複数の凸部によって、第１の表面２６２に入射した光を拡散することができる。
【０１０１】
凸部及び凹部は、曲面で形成されていても平面の組み合わせで形成されていてもよい。凸部は、微小な凸面レンズとして機能する。また、凹部は、微小な凹面レンズとして機能する。凸部及び凹部は、このようなレンズとして機能して、第１の表面２６２に入射した光を拡散させることができればよい。
【０１０２】
具体的には、第１の表面２６２に形成された凹凸によって、第１の表面２６２に入射した光の一部は反射されるとともに、残りの光は屈折される。凹凸によって反射された光も屈折された光も、光拡散用のシート２６０から遠ざかるに従って広がる。このように、光拡散用のシート２６０に入射した光は、凹凸によって拡散される。
【０１０３】
凹凸を示すパラメータとして、たとえば、凹凸の算術平均粗さ（Ｒａ）がある。光拡散用のシート２６０の凹凸は、使用する光の波長などを考慮した上で、算術平均粗さ（Ｒａ）が所定の範囲に含まれるように形成できる。算術平均粗さ（Ｒａ）によって、光拡散用のシート２６０に入射した光の拡散の度合いを決めることができる。算術平均粗さ（Ｒａ）を大きくすることによって、凹凸を粗くすることができ、光の拡散の度合いを大きくすることができる。算術平均粗さ（Ｒａ）を小さくすることによって、凹凸を滑らかにすることができ、光の拡散の度合いを小さくすることができる。
【０１０４】
なお、凹凸の表面粗さを表すパラメータとして、算術平均粗さ（Ｒａ）のほかに、十点平均粗さ（Ｒｚ）や最大高さ（Ｒｍａｘ）などを用いることもできる。さらに、他の粗さパラメータを用いることができる。いずれのパラメータでも、入射した光を凹凸によって拡散させる度合いとして用いることができる。
【０１０５】
第２の表面２６４には、凹凸は形成されていない。第２の表面２６４は、第１の表面２６２と比較すると滑らかに仕上げられている。
【０１０６】
第１の表面２６２の凹凸は、以下のようにして形成することができる。たとえば、光拡散用のシート２６０に細かい粒子を衝突させて、光拡散用のシート２６０に細かい凹凸を形成することができる（サンドブラスト法）。また、凹凸が予め形成された金型に光拡散用のシート２６０を押圧して、金型の凹凸を光拡散用のシート２６０に転写させて、光拡散用のシート２６０に凹凸を形成することができる（エンボス法）。さらに、光拡散用のシート２６０に透光性の微粒子を光拡散用のシート２６０に付着させて凹凸を形成することができる。その他、レーザなどのエネルギービームを光拡散用のシート２６０に照射して、凹凸を形成することができる。
【０１０７】
図７（ｂ）に示すように、光拡散用のシート２６０ａは、２つの第１の端２６８ａ及び第２の端２６８ｂを有する。２つの端２６８ａ及び２６８ｂは、光拡散用のシート２６０ａの長手方向に沿って形成されている。２つの端２６８ａ及び２６８ｂは、互いに離隔して向かい合うように形成されている。さらに、光拡散用のシート２６０ａは、長手方向に対して垂直な方向に沿った幅Ｗ１を有する。すなわち、幅Ｗ１は、光拡散用のシート２６０ａの長手方向に対して垂直な方向に沿って、第１の端２６８ａから端２６８ｂに至るまでの長さである。幅Ｗ１は、表面のシート２５０の幅Ｗ２よりも短い。
【０１０８】
また、図７（ｂ）に示すように、光拡散用のシート２６０ｂは、２つの第１の端２６９ａ及び第２の端２６９ｂを有する。２つの端２６９ａ及び２６９ｂは、光拡散用のシート２６０ｂの長手方向に沿って形成されている。２つの端２６９ａ及び２６９ｂは、互いに離隔して向かい合うように形成されている。さらに、光拡散用のシート２６０ｂは、長手方向に対して垂直な方向に沿った幅Ｗ２を有する。すなわち、幅Ｗ２は、光拡散用のシート２６０ｂの長手方向に対して垂直な方向に沿って、第１の端２６９ａから端２６９ｂに至るまでの長さである。幅Ｗ２は、光拡散用のシート２６０ａの幅Ｗ１よりも長い。
【０１０９】
このように、表面のシート２５０及び光拡散用のシート２６０ｂは、同じ幅Ｗ２を有し、光拡散用のシート２６０ａは，幅Ｗ２よりも短い幅Ｗ１を有する。
【０１１０】
なお、本実施の形態では、光拡散用のシート２６０ｂの２つの第１の端２６９ａ及び第２の端２６９ｂには、後述する両面テープ２９０ｃによって、表面のシート２５０に貼るための両面テープ２９０ｃの幅に応じた領域を含む。
【０１１１】
＜光屈折用のシート２７０＞
光屈折シート２７０は、透光性及び可撓性を有し長尺な帯状の形状を有するシートである。光屈折シート２７０は、不透明であるが、透光性を有する。光屈折シート２７０は、第１の表面２７２と第２の表面２７８との２つの表面を有する。たとえば、光屈折シート２７０は、軟質ＰＶＣ（ポリ塩化ビニル）フィルムからなるのが好ましい。光屈折シート２７０として、たとえば、効果シート（スリーライク製：ＢＲＩＣＫ  ＣＵＢＥ軟質ＰＶＣ）などを用いることができる。
【０１１２】
第１の表面２７２には、所定の形状の微小な凹凸が形成されている。図１２（ａ）及び（ｂ）に示すように、第１の表面２７２には、複数の第１の小領域２７４と複数の第２の小領域２７６とが交互に配置されて形成されている。図１２（ａ）は、シンボル５０１ａが形成されたシンボル形成領域２５２の第１の表面２７２を示す正面図である。図１２（ｂ）は、シンボル５０１ｂが形成されたシンボル形成領域２５２の第１の表面２７２を示す正面図である。なお、図１２（ａ）及び（ｂ）では、第１の小領域２７４に右上がりの斜線を付して示し、第２の小領域２７６に右下がりの斜線を付して示した。
【０１１３】
第１の小領域２７４及び第２の小領域２７６には、複数の突条や溝や畝などによって、規則的な凹凸の形状が形成されている。たとえば、格子状に凸部が形成された形状にしたり、格子状に凹部が形成された形状にしたりできる。格子の各々は、正方形や長方形の帆から、菱形や平行四辺形にすることができる。凹凸を格子状に形成することによって、第１の小領域２７４及び第２の小領域２７６において、複数の微小な長尺な凸部や凹部が規則的に並ぶ。なお、第１の小領域２７４及び第２の小領域２７６における凹凸は、格子状のみならず、規則性を有する形状であればよい。
【０１１４】
凹凸を構成する個々の凸部及び凹部は、シリンドリカルレンズなどのレンズとして機能したり、プリズムとして機能したりする。このように、凹凸を規則的に形成することにより、複数の微小な長尺なレンズや複数の微小な長尺なプリズムを規則的に並べたように機能させることができる。したがって、規則的に並べられたレンズやプリズムによって、第１の小領域２７４及び第２の小領域２７６に入射した光を、凹凸に基づく所定の方向に反射させたり屈折させたりできる。
【０１１５】
第１の小領域２７４に形成されている凹凸と、第２の小領域２７６に形成されている凹凸とは異なる。このようにすることで、第１の小領域２７４に入射した光が進む方向と第２の小領域２７６に入射した光が進む方向とを異ならしめることができる。このようにすることでバックライト装置３００から発せられた光による演出効果を高めることができる。光屈折用のシート２７０は、シンボル５０１ａが印刷されたシンボル形成領域２５２や、シンボル５０１ｂが印刷されたシンボル形成領域２５２に重ねられる。したがって、シンボル５０１ａやシンボル５０１ｂに照明する光によって演出効果を高めることができる。
【０１１６】
凹凸を示すパラメータとして、凸部や凹部の間隔や高さ（深さ）や長手方向の長さなどがある。凸部や凹部の間隔として、たとえば、隣り合う２つの凸部の平均の間隔や隣り合う２つの凹部の平均の間隔にすることができる。また、凸部や凹部の間隔や高さとして、隣り合う凹部の谷から凸部の頂点までの平均の高さにすることができる。これらの長さを適宜定めることによって、反射や屈折の度合いを決定できる。また、凹凸を示すパラメータには、凸部や凹部の長手方向の向きもある。長手方向の向きによって、反射や屈折の方向を定めることができる。これらのパラメータは、使用する光の波長などを考慮した定めることができる。
【０１１７】
第２の表面２７８には、凹凸は形成されていない。第２の表面２７８は、第１の表面２７２と比較すると滑らかに仕上げられている。
【０１１８】
第１の小領域２７４及び第２の小領域２７６の凹凸も、上述したサンドブラスト法やエンボス法のほか、透光性の微粒子を光拡散用のシート２６０に付着させることで凹凸を形成することができる。その他、レーザなどのエネルギービームを光屈折シート２７０に照射することで凹凸を形成してもよい。いずれにしても、凹凸を形成できればよい。
【０１１９】
上述した例では、第１の小領域２７４及び第２の小領域２７６の凹凸を格子状に形成する場合を示したが、第１の小領域２７４及び第２の小領域２７６における凹凸は、格子状のみならず、規則性を有する形状であればよい。第１の小領域２７４及び第２の小領域２７６に入射した光を、規則的に形成した凹凸に基づく所定の方向に反射させたり屈折させたりできればよい。
【０１２０】
また、図９（ｂ）に示すように、光屈折シート２７０は、２つの第１の端２７９ａ及び第２の端２７９ｂを有する。２つの端２７９ａ及び２７９ｂは、光屈折シート２７０の長手方向に沿って形成されている。２つの端２７９ａ及び２７９ｂは、互いに離隔して向かい合うように形成されている。さらに、光屈折シート２７０は、長手方向に対して垂直な方向に沿った幅Ｗ２を有する。すなわち、幅Ｗ２は、光屈折シート２７０の長手方向に対して垂直な方向に沿って、第１の端２７９ａから端２７９ｂに至るまでの長さである。
【０１２１】
なお、図１０に示す光屈折シート２７０は、数字「７」の形状を有する。したがって、図１０（ｂ）に示すように、光屈折シート２７０は、数字「７」の形状に応じて、異なる幅を有する。
【０１２２】
なお、本実施の形態では、光屈折シート２７０の第１の端２７９ａ及び第２の端２７９ｂには、後述する両面テープ２９０ａや両面テープ２９０ｂによって、表面のシート２５０に貼るための両面テープ２９０ａや両面テープ２９０ｂの幅に応じた領域を含む。
【０１２３】
＜保護用のシート２８０＞
保護用のシート２８０は、透明で可撓性を有するシートである。たとえば、表面のシート２５０は、ＰＶＣ（ポリ塩化ビニル）フィルムからなるのが好ましい。保護用のシート２８０は、上述した光屈折用のシート２７０、３５０及び３６０を保護するためのシートである。保護用のシート２８０として、たとえば、リンテック製ＰＶＣＴＢ８０  ＮＰＬ１１ＬＬＹなどを用いることができる。
【０１２４】
保護用のシート２８０の片面には、接着剤（図示せず）が塗布されている。光屈折用のシート２７０の上に重ねて貼られることによって、光屈折用のシート２７０を保護することができる。
【０１２５】
＜両面テープ２９０ａ、２９０ｂ、２９０ｃ、２９０ｄ、２９０ｅ＞
両面テープ２９０ａは、シンボル５０１ａが印刷された領域に光屈折用のシート２７０を表面用のシート２５０に貼るためのものである。図６（ｃ−１）では、両面テープ２９０ａを太い実線で示した。図６（ｃ−１）に示すように、両面テープ２９０ａは、シンボル５０１ａの周辺に沿って周回する形状を有する。両面テープ２９０ａによって、光屈折用のシート２７０の周辺部のみを表面用のシート２５０に固定することができる。
【０１２６】
両面テープ２９０ｂは、シンボル５０１ｂが印刷された領域に光屈折用のシート２７０を表面用のシート２５０に貼るためのものである。図６（ｃ−１）では、両面テープ２９０ｂを太い実線で示した。図６（ｃ−１）に示すように、両面テープ２９０ｂは、シンボル５０１ｂの周辺に沿った形状を有する。両面テープ２９０ｂによって、光屈折用のシート２７０の周辺部のみを表面用のシート２５０に固定することができる。
【０１２７】
両面テープ２９０ｃは、光拡散用のシート２６０ｂを表面用のシート２５０の裏面に貼るためのものである。図６（ｃ−２）では、両面テープ２９０ｃを太い実線で示した。図６（ｃ−２）及び図７（ｂ）に示すように、両面テープ２９０ｂは、光拡散用のシート２６０ｂの２つの長手方向の端２６９ａ及び２６９ｂに沿った長尺な帯状の形状を有する。両面テープ２９０ｃは、光屈折用のシート２７０が設けられる領域を除いて、光拡散用のシート２６０ｂの端２６９ａ及び２６９ｂに沿って設けられる。２つの両面テープ２９０ｃによって、光拡散用のシート２６０ｂの端２６９ａを表面用のシート２５０の端２５８ａに接合することができ、光拡散用のシート２６０ｂの端２６９ｂを表面用のシート２５０の端２５８ｂに接合することができる。２つの両面テープ２９０ｃによって、光拡散用のシート２６０ｂの端２６９ａ及び２６９ｂと表面用のシート２５０の端２５８ａ及び２５８ｂとのみを固定することができる。端のみを固定することで、光拡散用のシート２６０ｂと表面用のシート２５０とによって中空状をなすことができ、光拡散用のシート２６０ａと光拡散用のシート２６０ｂとが押圧しあうことを防止することができる。
【０１２８】
両面テープ２９０ｄは、リール帯２２２をリール２２０に取り付けたときに、リール帯２２２を反対側のリール帯２２２の端部２４０に固定するためのものである。図６では、両面テープ２９０ｄを太い実線で示した。端部２４０に固定することによって、リール帯２２２を隙間が形成されることなく、リール２２０に巻回して取り付けることができる。
【０１２９】
両面テープ２９０ｅは、光拡散用のシート３５０及び３６０を表面用のシート２５０の裏面に貼るためのものである。図１４（ｃ−１）では、両面テープ２９０ｅを太い実線で示した。
【０１３０】
＜表面用のシート２５０と光拡散用のシート２６０ａ＞
表面用のシート２５０の裏面（後述する印刷面ＳＰ）の全面には、接着剤が塗布されている。この接着剤は、透明で光を透過することができる。接着剤によって、光拡散用のシート２６０ａの第２の表面２６４の全面を表面用のシート２５０の裏面の全面に貼り付けることができる。表面用のシート２５０の裏面（後述する印刷面ＳＰ）の全面に接着剤が塗布されており、光拡散用のシート２６０ａの第２の表面２６４は、滑らかに仕上げられているので、光拡散用のシート２６０ａの第２の表面２６４の全面を表面用のシート２５０の裏面の全面に密着して設けることができる。
【０１３１】
＜＜シンボル形成領域２５２及びシンボル非形成領域２５４における構成＞＞
以下では、シンボル形成領域２５２及びシンボル非形成領域２５４における構成について説明する。本実施の形態では、シンボル５０１ａ及び５０１ｂが形成されている領域がシンボル形成領域２５２であり、いずれのシンボルも形成されていない領域がシンボル非形成領域２５４である。
【０１３２】
本実施の形態では、シンボル５０１には、プレーヤが視認可能なシンボルのほかに、ブランクシンボルも含まれる。すなわち、シンボル形成領域２５２におけるシンボルには、ブランクシンボルも含まれる。ブランクシンボルとは、いずれの絵柄や図柄が表面用のシート２５０に印刷されていないシンボルをいう。ゲーミングマシン１０においてゲームを制御するにあたり、シンボルとして扱うものであればよい。ブランクシンボルは、制御においてシンボルとして扱えばよく、配当に関連するシンボルでも、配当に関連しないシンボルでもよい。
【０１３３】
また、ブランクシンボルは、表面用のシート２５０に全く模様などの絵柄が存在しないと視認される完全なブランク（空白領域）であってもよい。また、ブランクシンボルは、装飾用の模様などの絵柄が描かれていても空白領域が殆どを占めるものや、模様などの絵柄が描かれていてもその色が薄くて空白領域であると視認できるものも含む。
【０１３４】
また、本実施の形態では、シンボル非形成領域２５４は、視認可能なシンボル及びブランクシンボルが形成されていない領域をいう。シンボル非形成領域２５４は、視認可能なシンボルやブランクシンボルが形成されていなければよく、制御に用いられない単なる装飾用の模様などが存在していてもよい。
【０１３５】
なお、本実施の形態では、後述するように、シンボル５０１ｃ、５０１ｄ、５０１ｅが形成されている領域は、シンボル非形成領域２５４と同様の構成を有する。
【０１３６】
＜シンボルが形成されていないシンボル非形成領域２５４＞
図７は、いずれのシンボルも形成されていないシンボル非形成領域２５４を示す図である。具体的には、図７（ａ）は、シンボル非形成領域２５４の表面を示す正面図である。図７（ｂ）は、断面Ｌ１−Ｌ１に沿ったシンボル非形成領域２５４の断面を示す横断面図である。図７（ｃ）は、断面Ｂ−Ｂに沿ったシンボル非形成領域２５４の断面を示す縦断面図である。なお、図７（ｂ）及び（ｃ）では、構成を明確に示すために、表面用のシート２５０、光拡散用のシート２６０ａ及び２６０ｂ、並びに両面テープ２９０ｃを分離して示した。
【０１３７】
なお、図７（ｂ）及び図７（ｃ）では、模様が印刷された面を明確に示すために、印刷面ＳＰを明示した。シンボル非形成領域２５４であるので、表面のシート２５０の裏面には、シンボルは印刷されていないが、模様は印刷されている。したがって、図７（ｂ）及び図７（ｃ）に示す印刷面ＳＰは、模様が印刷された面を示す。
【０１３８】
図７（ａ）に示すように、シンボル非形成領域２５４には、いずれのシンボルも形成されていない。このシンボル非形成領域２５４では、図７（ｂ）及び（ｃ）に示すように、表面のシート２５０の裏面の印刷面ＳＰには、光拡散用のシート２６０ａ及び光拡散用のシート２６０ｂが重ねて設けられる。
【０１３９】
上述したように、表面用のシート２５０の印刷面ＳＰの全面には接着剤が塗布されている。光拡散用のシート２６０ａの第２の表面２６４は、滑らかに仕上げられている。塗布された接着剤によって、光拡散用のシート２６０ａの第２の表面２６４の全面を表面用のシート２５０の裏面の全面に密着して設けることができる。
【０１４０】
図７（ｂ）に示すように、シンボル非形成領域２５４は、表面用のシート２５０及び光拡散用のシート２６０ｂの長手方向の２つの端２６９ａ及び２６９ｂの各々に、両面テープ２９０ｃを有する。図６（ｃ−２）に示すように、２つの両面テープ２９０ｃの各々は、光拡散用のシート２６０ｂ（表面用のシート２５０）の長手方向に沿った長尺な形状を有する。２つの両面テープ２９０ｃの各々によって、光拡散用のシート２６０ｂの端２６９ａ及び２６９ｂを表面用のシート２５０の印刷面ＳＰの端２５８ａ及び２５８ｂに設けることができる。
【０１４１】
上述したように、光拡散用のシート２６０ｂの第１の表面２６２の２つの端２６９ａ及び２６９ｂの各々は、両面テープ２９０ｃによって表面用のシート２５０の印刷面ＳＰの端２５８ａ及び２５８ｂに固定される。一方、光拡散用のシート２６０ａの第２の表面２６４は、表面用のシート２５０の印刷面ＳＰに固定される。したがって、光拡散用のシート２６０ａの第１の表面２６２と、光拡散用のシート２６０ｂの第１の表面２６２とは、互いに向かい合う。第１の表面２６２に凹凸が形成されている。したがって、図１１（ａ）ないし（ｃ）に示すように、光拡散用のシート２６０ａの第１の表面２６２と、光拡散用のシート２６０ｂの第１の表面２６２とが接触する状態となっても、互いの凹凸によって、間隙２６６を形成して、密着することを防止することができる。
【０１４２】
図１１（ｂ）に示すように、光拡散用のシート２６０ａの第１の表面２６２と、光拡散用のシート２６０ｂの第１の表面２６２との間には、間隙２６６が形成される。間隙２６６は、図１１（ｂ）に示すように、距離Ｄ１、Ｄ２及びＤ３のように、各所で距離が異なる。
【０１４３】
図１１（ｃ）に示すように、光源装置３０４から発せられた光Ｂ１は、光拡散用のシート２６０ｂの第２の表面２６４（図示せず）に入射して、光拡散用のシート２６０ｂの第１の表面２６２で屈折して光Ｂ２として間隙２６６に向かって出射する。
【０１４４】
光拡散用のシート２６０ｂの第１の表面２６２から出射した光Ｂ２は、間隙２６６を介して光拡散用のシート２６０ａの第１の表面２６２に達する。光拡散用のシート２６０ａの第１の表面２６２に達した光Ｂ２の一部は屈折し、残りの光は反射する。屈折した光Ｂ３は、光拡散用のシート２６０ａに入射する。光拡散用のシート２６０ａに入射した光Ｂ３は、光拡散用のシート２６０ａの第２の表面２６４（図示せず）から出射して、表面用のシート２５０の印刷面ＳＰを照明する。一方、反射した光Ｂ４は、間隙２６６を介して光拡散用のシート２６０ｂの第１の表面２６２に達する。
【０１４５】
光拡散用のシート２６０ｂの第１の表面２６２に達した光Ｂ４の一部は屈折し、残りの光は反射する。反射した光Ｂ５は、間隙２６６を介して光拡散用のシート２６０ａの第１の表面２６２に達する。光拡散用のシート２６０ａの第１の表面２６２に達した光Ｂ５の一部は屈折し、残りの光は反射する。屈折した光Ｂ６は、光拡散用のシート２６０ａに入射する。光拡散用のシート２６０ａに入射した光Ｂ６は、光拡散用のシート２６０ａの第２の表面２６４（図示せず）から出射して、表面用のシート２５０の印刷面ＳＰを照明する。このように、間隙２６６の形成により、光源装置３０４から発せられた光Ｂ１は、光３や光Ｂ６のように多方向に屈折される。
【０１４６】
このように、光拡散用のシート２６０ａの第１の表面２６２と、光拡散用のシート２６０ｂの第１の表面２６２との間で各所で距離が異なる間隙２６６が形成されることにより、間隙２６６において光の屈折と反射とを繰り返すことができる。さらに、間隙２６６を形成することによって、光が進行できる距離を確保することができる。このように、間隙２６６の形成により、屈折と反射とを繰り返すとともに、光が進む距離を確保することによって、様々な方向に光を屈折させたり反射させたりでき、結果として、光源装置３０４から発せられた光を散乱させることができる。
【０１４７】
光拡散用のシート２６０を単一枚でリール帯２２２に用いた場合には、間隙２６６は形成されず、光源装置３０４から発せられた光を十分に散乱させにくい。これに対して、２枚の光拡散用のシート２６０ａと２６０ｂを用いて、光拡散用のシート２６０ａの第１の表面２６２と、光拡散用のシート２６０ｂの第１の表面２６２とを、互いに向かい合うように配置することで間隙２６６を形成することができる。間隙２６６によって光源装置３０４から発せられた光を十分に散乱させるので、光源装置３０４の像をより広範囲にぼかすことができ、光源装置３０４の像がリール２２０に形成されることを防止できる。
【０１４８】
上述したように、両面テープ２９０ｃによって、光拡散用のシート２６０ｂの端２６９ａ及び２６９ｂのみが表面用のシート２５０に固定される。したがって、光拡散用のシート２６０ａは、光拡散用のシート２６０ｂに対して固定されていない。このようにすることで、光拡散用のシート２６０ａは、光拡散用のシート２６０ｂに対して変位できるとともに、光拡散用のシート２６０ｂによって押圧されにくくできる。たとえば、リール帯２２２をリール２２０に巻回して取り付ける場合に、光拡散用のシート２６０ａと光拡散用のシート２６０ｂとが、互いに相対的に円滑に変位でき、光拡散用のシート２６０ａと光拡散用のシート２６０ｂとが密着することを防止できる。このため、間隙２６６の形成を確保することができる。
【０１４９】
図７（ｂ）に示すように、表面のシート２５０は、２つの第１の端２５８ａ及び第２の端２５８ｂを有する。２つの第１の端２５８ａ及び第２の端２５８ｂの間の幅はＷ２である。光拡散用のシート２６０ａは、２つの第１の端２６８ａ及び第２の端２６８ｂを有する。２つの第１の端２６８ａ及び第２の端２６８ｂの間の幅はＷ１である。光拡散用のシート２６０ｂは、２つの第１の端２６９ａ及び第２の端２６９ｂを有する。２つの第１の端２６９ａ及び第２の端２６９ｂの間の幅はＷ２である。表面のシート２５０及び光拡散用のシート２６０ｂは、同じ幅Ｗ２を有し、光拡散用のシート２６０ａは，幅Ｗ２よりも短い幅Ｗ１を有する。
【０１５０】
シンボルが形成されていないシンボル非形成領域２５４においては、表面用のシート２５０の第１の端２５８ａと、光拡散用のシート２６０ｂの第１の端２６９ａとによって、リール帯２２２の端辺が形成される。この端辺が駆動側リール枠体２２６に嵌合される。同様に、表面用のシート２５０の第２の端２５８ｂと、光拡散用のシート２６０ｂの第１の端２６９ｂとによって、リール帯２２２の端辺が形成される。この端辺が従動側リール枠体２２８に嵌合される。
【０１５１】
本実施の形態では、光拡散用のシート２６０ａが，表面のシート２５０及び光拡散用のシート２６０ｂの幅Ｗ２よりも短い幅Ｗ１を有する場合を示したが、光拡散用のシート２６０ａも幅Ｗ２を有してもよい。この場合には、表面用のシート２５０の第１の端２５８ａと、光拡散用のシート２６０ａの第１の端２６８ａと、光拡散用のシート２６０ｂの第１の端２６９ａとが重なる。同様に、表面用のシート２５０の第１の端２５８ｂと、光拡散用のシート２６０ａの第１の端２６８ｂと、光拡散用のシート２６０ｂの第１の端２６９ｂとが重なる。この場合には、両面テープ２９０ｃは、光拡散用のシート２６０ａと光拡散用のシート２６０ｂとを接合する。表面用のシート２５０の第１の端２５８ａと、光拡散用のシート２６０ａの第１の端２６８ａと、光拡散用のシート２６０ｂの第１の端２６９ａとによって、リール帯２２２の一の端辺が形成される。同様に、表面用のシート２５０の第１の端２５８ｂと、光拡散用のシート２６０ａの第１の端２６８ｂと、光拡散用のシート２６０ｂの第１の端２６９ｂとによって、リール帯２２２の他の端辺が形成される。
【０１５２】
上述したように、接着剤によって、光拡散用のシート２６０ａの第２の表面２６４の全面を表面用のシート２５０の裏面の全面に貼り付けられている。さらに、両面テープ２９０ｃによって、光拡散用のシート２６０ｂは、表面用のシート２５０の裏面に貼られる。このようにして、シンボルが形成されていないシンボル非形成領域２５４においては、表面用のシート２５０と光拡散用のシート２６０ａと光拡散用のシート２６０ｂとを一体に成形することができる。
【０１５３】
＜シンボル５０１ｃ、シンボル５０１ｄ、シンボル５０１ｅが形成された領域＞
上述したように、シンボル５０１ｃは、１つの「ＢＡＲ」を示すシンボルである。シンボル５０１ｄは、２つの「ＢＡＲ」を示すシンボルである。シンボル５０１ｅは、３つの「ＢＡＲ」を示すシンボルである。
【０１５４】
図８は、シンボル５０１ｃが形成された領域を示す図である。具体的には、図８（ａ）は、シンボル５０１ｃが形成された領域の表面を示す正面図である。図８（ｂ）は、断面Ｌ２−Ｌ２に沿ったシンボル５０１ｃが形成された領域の断面を示す横断面図である。図８（ｃ）は、断面Ｖ２−Ｖ２に沿ったシンボル５０１ｃが形成された領域の断面を示す縦断面図である。シンボル５０１ｄ及びシンボル５０１ｅが形成された領域も同様の構成である。なお、図８（ｂ）及び（ｃ）では、構成を明確に示すために、表面用のシート２５０、光拡散用のシート２６０ａ及び２６０ｂ、並びに両面テープ２９０ｃを分離して示した。
【０１５５】
図８（ｂ）及び図８（ｃ）でも、シンボル５０１ｃが印刷された面を明確に示すために、印刷面ＳＰを明示した。表面のシート２５０の裏面には、シンボル「ＢＡＲ」が印刷されている。
【０１５６】
図８に示すように、シンボル５０１ｃ、シンボル５０１ｄ、シンボル５０１ｅが形成された領域は、シンボルが形成された領域であるが、シンボル非形成領域２５４と同様の構成である。したがって、拡散用のシート２６０ａの第１の表面２６２と、光拡散用のシート２６０ｂの第１の表面２６２とは、互いに向かい合う。拡散用のシート２６０ａの第１の表面２６２と、光拡散用のシート２６０ｂの第１の表面２６２との凹凸によって、拡散用のシート２６０ａの第１の表面２６２と、光拡散用のシート２６０ｂの第１の表面２６２との間に間隙２６６が形成される。
【０１５７】
したがって、シンボル５０１ｃ、シンボル５０１ｄ、シンボル５０１ｅが形成された領域においても、シンボル非形成領域２５４と同様に、光源装置３０４から発せられた光を拡散させることができる。このようにすることで、光源の像をより広範囲にぼかすことができ、光源の像が光拡散用のシート２６０により形成されにくくすることができる。
【０１５８】
＜シンボル５０１ａが形成されたシンボル形成領域２５２＞
図９は、シンボル５０１ａが形成されたシンボル形成領域２５２を示す図である。具体的には、図９（ａ）は、シンボル形成領域２５２の表面を示す正面図である。図９（ｂ）は、断面Ｌ３−Ｌ３に沿ったシンボル形成領域２５２の断面を示す横断面図である。図９（ｃ）は、断面Ｂ−Ｂに沿ったシンボル形成領域２５２の断面を示す縦断面図である。なお、図９（ｂ）及び（ｃ）では、構成を明確に示すために、表面用のシート２５０、光屈折用のシート２７０、光拡散用のシート２６０ａ及び２６０ｂ、並びに両面テープ２９０ａを分離して示した。
【０１５９】
図９（ｂ）及び図９（ｃ）でも、シンボル５０１ａが印刷された面を明確に示すために、印刷面ＳＰを明示した。表面のシート２５０の裏面には、シンボル５０１ａが印刷されている。
【０１６０】
図９（ａ）に示すように、シンボル形成領域２５２には、シンボル５０１ａが形成されている。このシンボル形成領域２５２では、図９（ｂ）及び（ｃ）に示すように、表面のシート２５０の裏面の印刷面ＳＰには、光屈折シート２７０が設けられる。
【０１６１】
図９（ｂ）及び（ｃ）に示すように、シンボル形成領域２５２は、表面用のシート２５０及び光屈折シート２７０の長手方向の２つの端２７９ａ及び２７９ｂの各々及び短手方向の２つの端の各々に、両面テープ２９０ａを有する。図６（ｃ−１）に示すように、両面テープ２９０ａは、シンボル５０１ａの周辺に沿って周回する形状を有する。両面テープ２９０ａによって、光屈折用のシート２７０の第１の表面２７２の周辺部のみを表面用のシート２５０の印刷面ＳＰに固定することができる。
【０１６２】
図１２（ａ）に示すように、光屈折用のシート２７０の第１の表面２７２には、複数の第１の小領域２７４と複数の第２の小領域２７６とが交互に配置されて形成されている。第１の小領域２７４及び第２の小領域２７６には、凹凸が規則的に形成されている。
【０１６３】
第１の小領域２７４に形成されている凹凸と、第２の小領域２７６に形成されている凹凸とは異なる。第１の小領域２７４に入射した光が進む方向と第２の小領域２７６に入射した光が進む方向とを異ならしめることができる。
【０１６４】
第１の小領域２７４と第２の小領域２７６とによって、それぞれ、入射された光を凹凸に従った方向に反射させたり屈折させたりできる。光屈折用のシート２７０をシンボル５０１ａに重ねて配置することによって、第１の小領域２７４及び第２の小領域２７６に入射した光を、光屈折用のシート２７０の凹凸に基づく所定の方向に反射させたり屈折させたりできる。これにより、シンボル非形成領域２５４とは異なるようにシンボル形成領域２５２を照明でき、光源装置３０４から発せられた光によってシンボル形成領域２５２にアクセントをつけることができる。
【０１６５】
図９（ｂ）に示すように、表面のシート２５０は、２つの第１の端２５８ａ及び第２の端２５８ｂを有する。２つの第１の端２５８ａ及び第２の端２５８ｂの間の幅はＷ２である。光屈折用のシート２７０は、２つの第１の端２７９ａ及び第２の端２７９ｂを有する。２つの第１の端２７９ａ及び第２の端２７９ｂの間の幅はＷ２である。表面のシート２５０及び光屈折用のシート２７０は、同じ幅Ｗ２を有する。
【０１６６】
シンボル５０１ａが形成されたシンボル形成領域２５２においては、表面用のシート２５０の第１の端２５８ａと、光屈折用のシート２７０の端２７９ａとによって、リール帯２２２の端辺が形成される。この端辺が駆動側リール枠体２２６に嵌合される。同様に、表面用のシート２５０の第１の端２５８ｂと、光屈折用のシート２７０の端２７９ｂとによって、リール帯２２２の端辺が形成される。この端辺が従動側リール枠体２２８に嵌合される。
【０１６７】
上述したように、両面テープ２９０ａによって、光屈折用のシート２７０は、表面用のシート２５０の裏面に貼られる。このようにして、シンボル５０１ａが形成されたシンボル形成領域２５２においては、表面用のシート２５０と光屈折用のシート２７０とを一体に成形することができる。
【０１６８】
＜シンボル５０１ｂが形成されたシンボル形成領域２５２＞
図１０は、シンボル５０１ｂが形成されたシンボル形成領域２５２を示す図である。具体的には、図１０（ａ）は、シンボル形成領域２５２の表面を示す正面図である。図１０（ｂ−１）は、断面Ｌ４−Ｌ４のシンボル形成領域２５２の断面を示す横断面図である。図１０（ｂ−２）は、断面Ｌ５−Ｌ５のシンボル形成領域２５２の断面を示す横断面図である。図１０（ｃ）は、断面Ｂ−Ｂのシンボル形成領域２５２の断面を示す縦断面図である。なお、図１０（ｂ）及び（ｃ）では、構成を明確に示すために、表面用のシート２５０、光屈折用のシート２７０、光拡散用のシート２６０ａ及び２６０ｂ、並びに両面テープ２９０ａを分離して示した。
【０１６９】
図１０（ｂ−１）、図１０（ｂ−２）及び図１０（ｃ）でも、シンボル５０１ｂが印刷された面を明確に示すために、印刷面ＳＰを明示した。表面のシート２５０の裏面には、シンボル５０１ａが印刷されている。
【０１７０】
図１０（ａ）に示すように、シンボル形成領域２５２には、シンボル５０１ｂが形成されている。このシンボル形成領域２５２では、図１０（ｂ−１）、図１０（ｂ−２）及び（ｃ）に示すように、表面のシート２５０の裏面の印刷面ＳＰには、光屈折用のシート２７０が設けられる。
【０１７１】
図１０に示すように、シンボル５０１ｂが形成されたシンボル形成領域２５２は、保護用のシート２８０が設けられている点を除き、シンボル５０１ａが形成されたシンボル形成領域２５２と同様の構成である。
【０１７２】
したがって、第１の小領域２７４と第２の小領域２７６とによって、それぞれ、入射された光を凹凸に従った方向に反射させたり屈折させたりできる。光屈折用のシート２７０をシンボル５０１ｂに重ねて配置することによって、第１の小領域２７４及び第２の小領域２７６に入射した光を、光屈折用のシート２７０の凹凸に基づく所定の方向に反射させたり屈折させたりできる。これにより、シンボル非形成領域２５４とは異なるようにシンボル形成領域２５２から光を出射させることができ、シンボル形成領域２５２における光よるアクセントをつけることができる。
【０１７３】
なお、シンボル５０１ａが形成されたシンボル形成領域２５２とは異なり、図１０（ｂ−１）及び図１０（ｂ−２）に示すように、シンボル５０１ｂは、数字の７の形状を有する。したがって、光屈折シート２７０は、数字「７」の形状に応じて、異なる幅を有する。このため、シンボル５０１ｂの周囲には、数字「７」の形状に応じて光拡散用のシート２６０ａ及び２６０ｂが配置されている。このようにすることで、シンボル５０１ｂの形状に応じた光を出射させることができる。
【０１７４】
保護用のシート２８０は、上述した光屈折用のシート２７０を保護するためのシートである。シンボル５０１ａと異なり、シンボル５０１ｂは、数字の７の形状を有しており、形状が複雑である。このため、両面テープ２９０ｂのみならず、保護用のシート２８０を併用することで、光屈折用のシート２７０を表面用のシート２５０に固定することができる。
【０１７５】
＜＜リール帯２２２Ｙの構成＞＞
図１３は、リール帯２２２Ｙの構成を示す正面図（ａ）と、縦断面図（ｂ）、（ｃ−１）、（ｃ−２）と、背面図（ｄ）とである。
【０１７６】
リール帯２２２Ｙには、５つのシンボル５０１ａ、５０１ｂ、５０１ｃ、５０１ｄ及び５０１ｅが印刷されている。図１３に示すように、５つのシンボル５０１ａ、５０１ｂ、５０１ｃ、５０１ｄ及び５０１ｅの配置の順番が異なるだけで、リール帯２２２Ｘと同様の構成を有する。
【０１７７】
＜＜リール帯２２２Ｚの構成＞＞
図１４は、リール帯２２２Ｚの構成を示す正面図（ａ）と、縦断面図（ｂ）、（ｃ−１）、（ｃ−２）と、背面図（ｄ）とである。
【０１７８】
リール帯２２２Ｚには、６つのシンボル５０１ａ、５０１ｂ、５０１ｃ、５０１ｄ、５０１ｅ及び５０１ｆが印刷されている。図１４に示すように、リール帯２２２Ｚは、シンボル５０１ｆが印刷されている。残りの５つのシンボル５０１ａ、５０１ｂ、５０１ｃ、５０１ｄ及び５０１ｅについては、リール帯２２２Ｘやリール帯２２２Ｙと同様の構成を有する。
【０１７９】
シンボル５０１ｆは、鳥が羽を広げた絵柄及び文字「ＣＨＡＮＣＥ」を示すシンボルである。図１４に示すように、シンボル５０１ｆが印刷されている領域には、光拡散用のシート３５０及び３６０が重ねられて設けられている。光拡散用のシート３５０及び３６０にも凹凸が形成されている。光拡散用のシート３５０及び３６０に形成されている凹凸は、光拡散用のシート２６０ａ及び２６０ｂ並びに光屈折用のシート２７０に形成されている凹凸と形状が異なる。光拡散用のシート３５０として、効果シート（スリーライク製：ＬＥＮＳ）などを用いることができる。光拡散用のシート３６０として、効果シート（スリーライク製：ＳＨＲＩＮＫＡＧＥ）などを用いることができる。
【０１８０】
シンボル５０１ｆに光拡散用のシート３５０及び３６０を重ねたことにより、シンボル５０１ａ、５０１ｂ、５０１ｃ、５０１ｄ及び５０１ｅが形成された領域やシンボル非形成領域２５４とは異なるように、光を出射することができる。
【０１８１】
図１５（ｃ）は、リール帯２２２においてバックライト装置３００の像が広範囲にぼかされた状態を示す図である。図１５（ｃ）に示す丸い破線は、バックライト装置３００から発せられた光が広がる領域を示す。
【０１８２】
図１１（ｃ）を用いて説明したように、光拡散用のシート２６０ａの第１の表面２６２と、光拡散用のシート２６０ｂの第１の表面２６２とを、互いに向かい合うように配置することで間隙２６６を形成することができる。間隙２６６によって、光源装置３０４から発せられた光を十分に散乱させるので、光源装置３０４の像をより広範囲にぼかすことができ、光源装置３０４の像がリール２２０に形成されることを防止できる。
【０１８３】
このようにしたことにより、図１５（ｃ）に示すように、バックライト装置３００から発せられた光は、リール帯２２２に到達したときには、丸い破線で示すように、広範囲に広がり、図１５（ｂ）とは異なり、光源装置３０４の像は、リール帯２２２に形成されない。
【０１８４】
なお、リール帯２２２における光源装置３０４の像の形成は、光源装置３０４の発光強度による。光源装置３０４の発光強度が大きい場合には、光源装置３０４の像は形成されやすくなる。この場合には、光源装置３０４の発光強度を小さくしたり、光拡散用のシート２６０の第１の表面２６２の凹凸の粗さを変更したりすればよい。このようにすることで、バックライト装置３００から発せられた光が広がる領域（図１５（ｃ）の丸い破線）を大きくでき、隣り合う領域が互いに重なり、リール帯２２２における明るさを均一に近づけることができる。
【０１８５】
また、図１５（ａ）に示すように、バックライト装置３００は４つのモジュール３０２を有し、モジュール３０２の各々には、８つの光源装置３０４であるＬＥＤがマトリクス状に配置されている。
【０１８６】
図１５（ｃ）に示すように、マトリクス状に配置された光源装置３０４の全ては、表面のシート２５０の２つの第１の端２５８ａと第２の端２５８ｂの間や、光拡散用のシート２６０ｂの２つの第１の端２６９ａと第２の端２６９ｂとの間に配置されている。上述したように、光拡散用のシート２６０ｂの端２６９ａが表面用のシート２５０の端２５８ａに接合され、光拡散用のシート２６０ｂの端２６９ｂが表面用のシート２５０の端２５８ｂに接合されている。この接合された領域では、光拡散用のシート２６０ａと光拡散用のシート２６０ｂとが密着する。しかしながら、この接合された領域には、マトリクス状に配置された光源装置３０４は配置されていないので、接合された領域であっても、光源装置３０４の像は形成されることはなく、リール帯２２２の視認性を低下させることはない。
【符号の説明】
【０１８７】
１０  ゲーミングマシン
２２０ａ、２２０ｂ、２２０ｃ、２２０ｄ、２２０ｅ  リール
２２２Ｘ、２２２Ｙ、２２２Ｚ  リール帯
２５０  シンボル表示用のシート（ベース用のシート）
２５２  シンボル形成領域
２５４  シンボル非形成領域
２５８ａ、２５８ｂ  端
２６０ａ  光拡散用のシート（第１の光拡散用のシート）
２６０ｂ  光拡散用のシート（第２の光拡散用のシート）
２６２  第１の表面（第１の光屈折面）
２６８ａ、２６８ｂ  端
２６９ａ、２６９ｂ  端
２７０  光屈折用のシート（光屈折用のシート）
２７２  第１の表面（第２の光屈折面）
【図６】
2014212806.tif 000003
【図７】
2014212806.tif 000004
【図８】
2014212806.tif 000005
【図９】
2014212806.tif 000006
【図１０】
2014212806.tif 000007
【図１１】
2014212806.tif 000008
【図１２】
2014212806.tif 000009
【図１３】
2014212806.tif 000010
【図１４】
2014212806.tif 000011
【図１５】
2014212806.tif 000012
【図１】
2014212806.tif 000013
【図２】
2014212806.tif 000014
【図３】
2014212806.tif 000015
【図４】
2014212806.tif 000016
【図５】
2014212806.tif 000017